(57)【要約】【課題】  無線切り替え方法及びシステムを提供する。【解決手段】  態様は、トランシーバによって第一アクティブ化信号をアクティブ化デバイスから受信し、第一アクティブ化信号を受信することに応答してトランシーバによってネットワーククレデンシャルデータをアクティブ化デバイスに送信し、第一デバイスの第一コントローラによって第二アクティブ化信号をアクティブ化デバイスから受信し、第二アクティブ化信号がアクティブ化要求及びネットワーククレデンシャルデータを含み、第二アクティブ化信号を受信することに応答して第一デバイスを低電力状態から高電力状態に遷移させ、第一デバイスによって無線ネットワークをブロードキャストすることを備え、第一デバイスは無線ネットワークについてのアクセスポイントを含む。【選択図】図４
2020113984.tif 000002
【特許請求の範囲】
【請求項１】
無線切り替え方法であって、
トランシーバによって、第一アクティブ化信号をアクティブ化デバイスから受信することと、
前記第一アクティブ化信号を受信することに応答して、前記トランシーバによって、ネットワーククレデンシャルデータを前記アクティブ化デバイスに送信することと、
第一デバイスの第一コントローラによって、第二アクティブ化信号を前記アクティブ化デバイスから受信することであって、前記第二アクティブ化信号がアクティブ化要求及び前記ネットワーククレデンシャルデータを含む、前記アクティブ化デバイスから受信することと、
前記第二アクティブ化信号を受信することに応答して、前記第一デバイスを低電力状態から高電力状態に遷移させることと、
前記第一デバイスによって、無線ネットワークをブロードキャストすることであって、前記第一デバイスは前記無線ネットワークについてのアクセスポイントを含む、前記無線ネットワークをブロードキャストすることと、
を備える、方法。
【請求項２】
前記アクティブ化デバイスから、前記無線ネットワークに参加する要求を受信することと、
前記第一デバイスによって、前記アクティブ化デバイスに対して前記無線ネットワークへのアクセスを許可することと、
をさらに備える、請求項１に記載の方法。
【請求項３】
前記第一コントローラは、出荷コンテナと関連付けられる、請求項２に記載の方法。
【請求項４】
前記無線ネットワーク経由で前記アクティブ化デバイスに、前記出荷コンテナと関連付けられるコンテナデータを送信すること、
をさらに備える、請求項３に記載の方法。
【請求項５】
前記コンテナデータを前記アクティブ化デバイスに送信することに応答して、前記第一デバイスを前記高電力状態から前記低電力状態に遷移させること、
をさらに備える、請求項４に記載の方法。
【請求項６】
非アクティブ化信号を受信することと、
非アクティブ化信号を受信することに応答して、前記第一デバイスを前記高電力状態から前記低電力状態に遷移させることと、
をさらに備える、請求項１に記載の方法。
【請求項７】
前記アクティブ化デバイスは、前記トランシーバの範囲内にあることに応答して前記第一アクティブ化信号を送信する、請求項１に記載の方法。
【請求項８】
前記アクティブ化デバイスは、スマートフォン、タブレット、及びコンピュータのうちの少なくとも１つを含む、請求項１に記載の方法。
【請求項９】
前記アクティブ化デバイスは、前記出荷コンテナに結合されるインターフェースを含む、請求項３に記載の方法。
【請求項１０】
無線切り替えシステムであって、
第一デバイスの第一コントローラと、
トランシーバと、
を備え、
前記トランシーバは、
第一アクティブ化信号をアクティブ化デバイスから受信するように構成され、
前記第一アクティブ化信号を受信することに応答して、ネットワーククレデンシャルデータを前記アクティブ化デバイスに送信するように構成され、
前記第一コントローラは、
第二アクティブ化信号を前記アクティブ化デバイスから受信するように構成され、前記第二アクティブ化信号がアクティブ化要求及び前記ネットワーククレデンシャルデータを含み、
前記第二アクティブ化信号を受信することに応答して、前記第一デバイスを低電力状態から高電力状態に遷移させるように構成され、
前記第一デバイスによって、無線ネットワークをブロードキャストするように構成され、前記第一デバイスは前記無線ネットワークについてのアクセスポイントを含む、
システム。
【請求項１１】
前記第一コントローラは、
前記アクティブ化デバイスから、前記無線ネットワークに参加する要求を受信するようにさらに構成され、
前記アクティブ化デバイスに対して前記無線ネットワークへのアクセスを許可するようにさらに構成される、請求項１０に記載のシステム。
【請求項１２】
前記第一コントローラは、出荷コンテナと関連付けられる、請求項１１に記載のシステム。
【請求項１３】
前記第一コントローラは、前記無線ネットワーク経由で前記アクティブ化デバイスに、前記出荷コンテナと関連付けられるコンテナデータを送信するようにさらに構成される、請求項１２に記載のシステム。
【請求項１４】
前記第一コントローラは、
前記コンテナデータを前記アクティブ化デバイスに送信することに応答して、前記第一デバイスを前記高電力状態から前記低電力状態に遷移させるようにさらに構成される、
請求項１２に記載のシステム。
【請求項１５】
前記第一コントローラは、
非アクティブ化信号を受信するようにさらに構成され、
非アクティブ化信号を受信することに応答して、前記第一デバイスを前記高電力状態から前記低電力状態に遷移させるようにさらに構成される、
請求項１０に記載のシステム。
【請求項１６】
前記アクティブ化デバイスは、前記トランシーバの範囲内にあることに応答して前記第一アクティブ化信号を送信する、請求項１０に記載のシステム。
【請求項１７】
前記アクティブ化デバイスは、スマートフォン、タブレット、及びコンピュータのうちの少なくとも１つを含む、請求項１０に記載のシステム。
【請求項１８】
前記アクティブ化デバイスは、前記出荷コンテナに結合されるインターフェースを含む、請求項１２に記載のシステム。
【発明の詳細な説明】
【技術分野】
【０００１】
本明細書に開示される主題は、冷蔵システムに関する。より具体的には、本明細書に開示される主題は、保管するために利用されるコンテナ及び船荷の冷蔵に関する。
【背景技術】
【０００２】
製品は、時には様々な異なる輸送の方式を利用して長距離にわたって輸送されることが多い。そのような方式で製品を輸送する一つの一般的な方法は、一貫輸送の出荷用コンテナの使用である。そのようなコンテナは、多様なコンテナが容易に取り扱われ、積み重ねられるように規格化されたサイズである。一般的なサイズは８フィート（２．４４ｍ）掛ける８フィートの幅、６インチ（２．５９ｍ）の高さであり、２０フィート（６．１ｍ）または４０フィート（１２．２メートル）のいずれかの長さを有する。４５フィート（１３．７ｍ）、４８フィート（１４．６ｍ）及び５３フィート（１６．２ｍ）などのその他の長さが使用される場合もある。規格化された一貫輸送コンテナの利点は、製品をいかなるときでもコンテナから取り出す必要なしに、様々な異なる場所から出荷させることができる点である。コンテナ自体が、トレーラ、レール運搬機または船舶に移動され、またそれらから移動される。
【０００３】
一部のコンテナは、コンピュータ化された部分を含む。例えば、冷蔵コンテナは、冷蔵ユニットをモニタまたは制御するのに使用されるコンピュータを有することができる。コンピュータは、例えば冷蔵コンテナの温度を変更し得る。それに加えて、コンテナは、冷蔵コンテナをモニタすることもできる。コンテナ内で達する最高温度、冷媒またはコンピュータの任意の電子機器の状態を決めることができる。
【０００４】
起こり得る問題は、各コンテナのコンピュータにアクセスするのが難しい場合がある点である。一貫輸送の運送用コンテナは典型的には、それらを積み重ねることができ、狭い所に詰め込むことができるように造られている。したがって、単一のコンテナのスタックには６個から１２個のコンテナが存在し得る。船舶または出荷施設にあるコンテナの数を最大限にするために、コンテナは互いに極めて近づけて配置することができる。そのような構成の中で単一のコンテナにアクセスするのは難しい場合がある。
【発明の概要】
【発明が解決しようとする課題】
【０００５】
従って、本発明は、コンテナコントローラのための無線切り替え方法およびシステムを提供する。
【課題を解決するための手段】
【０００６】
一実施形態によって、方法が提供される。この方法は、トランシーバによって第一アクティブ化信号をアクティブ化デバイスから受信し、第一アクティブ化信号を受信することに応答してトランシーバによってネットワーククレデンシャルデータをアクティブ化デバイスに送信し、第一デバイスの第一コントローラによって第二アクティブ化信号をアクティブ化デバイスから受信し、第二アクティブ化信号がアクティブ化要求及びネットワーククレデンシャルデータを含み、第二アクティブ化信号を受信することに応答して第一デバイスを低電力状態から高電力状態に遷移させ、第一デバイスによって無線ネットワークをブロードキャストすることを備え、第一デバイスは無線ネットワークについてのアクセスポイントを含む。
【０００７】
上述の特徴の１つまたは複数に加えて、またはその代替として、方法のさらなる実施形態は、アクティブ化デバイスから無線ネットワークに参加する要求を受信することと、第一デバイスによってアクティブ化デバイスに対して無線ネットワークへのアクセスを許可することとを含んでもよい。
【０００８】
上述の特徴の１つまたは複数に加えて、またはその代替として、方法のさらなる実施形態は、第一コントローラが出荷用コンテナに対応付けられることを含んでもよい。
【０００９】
上述の特徴の１つまたは複数に加えて、またはその代替として、方法のさらなる実施形態は、無線ネットワーク経由でアクティブ化デバイスに、出荷コンテナと関連付けられるコンテナデータを送信することを備えてもよい。
【００１０】
上述の特徴の１つまたは複数に加えて、またはその代替として、方法のさらなる実施形態は、コンテナデータをアクティブ化デバイスに送信することに応答して、第一デバイスを高電力状態から低電力状態に遷移させることを備えてもよい。
【００１１】
上述の特徴の１つまたは複数に加えて、またはその代替として、方法のさらなる実施形態は、非アクティブ化信号を受信し、非アクティブ化信号を受信することに応答して、第一デバイスを高電力状態から低電力状態に遷移させることを備えてもよい。
【００１２】
上述の特徴の１つまたは複数に加えて、またはその代替として、方法のさらなる実施形態は、アクティブ化デバイスがトランシーバの範囲内にあることに応答して第一アクティブ化信号を送信することを備えてもよい。
【００１３】
上述の特徴の１つまたは複数に加えて、またはその代替として、方法のさらなる実施形態は、アクティブ化デバイスがスマートフォン、タブレット及びコンピュータのうちの少なくとも１つを備えることを含んでもよい。
【００１４】
上述の特徴の１つまたは複数に加えて、またはその代替として、方法のさらなる実施形態は、アクティブ化デバイスが出荷用コンテナに結合されたインターフェースを備えることを含んでもよい。
【００１５】
一実施形態によって、システムが提供される。このシステムは、第一デバイスの第一コントローラ、及びトランシーバを含み、トランシーバは、第一アクティブ化信号をアクティブ化デバイスから受信し、第一アクティブ化信号を受信することに応答してネットワーククレデンシャルデータをアクティブ化デバイスに送信するように構成され、第一コントローラは、第二アクティブ化信号をアクティブ化デバイスから受信するように構成され、第二アクティブ化信号がアクティブ化要求及びネットワーククレデンシャルデータを含み、第二アクティブ化信号を受信することに応答して第一デバイスを低電力状態から高電力状態に遷移させ、第一デバイスによって無線ネットワークをブロードキャストするように構成され、第一デバイスは、無線ネットワークについてのアクセスポイントを含む。
【００１６】
上述の特徴の１つまたは複数に加えて、またはその代替として、システムのさらなる実施形態は、第一コントローラがアクティブ化デバイスから無線ネットワークに参加する要求を受信し、またアクティブ化デバイスに対して無線ネットワークへのアクセスを許可するようにさらに構成されることを備えてもよい。
【００１７】
上述の特徴の１つまたは複数に加えて、またはその代替として、システムのさらなる実施形態は、第一コントローラが出荷用コンテナに対応付けられることを含んでもよい。
【００１８】
上述の特徴の１つまたは複数に加えて、またはその代替として、システムのさらなる実施形態は、第一コントローラが無線ネットワーク経由でアクティブ化デバイスに、出荷コンテナと関連付けられるコンテナデータを送信するようにさらに構成されることを備えてもよい。
【００１９】
上述の特徴の１つまたは複数に加えて、またはその代替として、システムのさらなる実施形態は、第一コントローラがコンテナデータをアクティブ化デバイスに送信することに応答して、第一デバイスを高電力状態から低電力状態に遷移させるようにさらに構成されることを含んでもよい。
【００２０】
上述の特徴の１つまたは複数に加えて、またはその代替として、システムのさらなる実施形態は、第一コントローラが非アクティブ化信号を受信し、非アクティブ化信号を受信することに応答して、第一デバイスを高電力状態から低電力状態に遷移させるようにさらに構成されることを備えてもよい。
【００２１】
上述の特徴の１つまたは複数に加えて、またはその代替として、システムのさらなる実施形態は、アクティブ化デバイスがトランシーバの範囲内にあることに応答して第一アクティブ化信号を送信することを備えてもよい。
【００２２】
上述の特徴の１つまたは複数に加えて、またはその代替として、システムのさらなる実施形態は、アクティブ化デバイスがスマートフォン、タブレット及びコンピュータのうちの少なくとも１つを備えることを含んでもよい。
【００２３】
上述の特徴の１つまたは複数に加えて、またはその代替として、システムのさらなる実施形態は、アクティブ化デバイスが出荷用コンテナに結合されたインターフェースを備えることを含んでもよい。
【００２４】
本発明と見なされる主題は、本明細書の終わりの特許請求の範囲において具体的に指摘され、明確に特許請求される。本発明の前述の及び他の特徴ならびに利点は、添付の図面と併せることにより以下の詳細な説明から明らかである。
【図面の簡単な説明】
【００２５】
【図１】冷蔵輸送カーゴコンテナの一実施形態の概略図である。
【図２】本開示の１つまたは複数の実施形態を実施する際に使用するためのコンピュータシステムのブロック図を示す。
【図３】本開示の１つまたは複数の実施形態による、コントローラに埋め込まれた無線カードを有するコンテナコントローラを各含む一群のコンテナを描くブロック図を示す。
【図４】本開示の１つまたは複数の実施形態による無線切り替え方法の流れ図を示す。
【発明を実施するための形態】
【００２６】
本明細書に示され記載されるように、本開示の様々な特徴が提示される。種々の実施形態は、同一の、または類似の特徴を有してよく、これにより同一の、または類似の特徴は同一の参照番号によって分類され得るが、その特徴が示される図面を指し示す異なる最初の数字が前に置かれ得る。よって、例えば図Ｘに示される要素「ａ」は「Ｘａ」と分類されてよく、図Ｚでの類似の特徴は「Ｚａ」と分類されてよい。類似の参照番号が包括的な意味で使用され得るが、様々な実施形態が記載され、様々な特徴は、明白に記載されようと、それ以外の方法で当業者によって理解されようと、当業者に理解されるように変更、代替形態、修正形態などを含んでもよい。
【００２７】
図１には、冷蔵カーゴコンテナ１０の一実施形態が示される。カーゴコンテナ１０は、頂部壁１２と、その正反対側の底部壁１４と、互いに対向する側壁１６と、前面壁１８と、を備える略矩形構造に形成されている。カーゴコンテナ１０は、前方壁１８の反対側の後面壁２０に１つまたは複数のドア（図示せず）をさらに含む。カーゴコンテナ１０は、カーゴコンテナ１０の内部５２に配置されたカーゴ２２を、コンテナ１０に配置された冷蔵ユニット２４の使用を通して選択された温度に維持するように構成される。カーゴコンテナ１０は可動式であり、例えばトラック、列車または船舶を介してカーゴ２２を輸送するのに利用される。冷蔵ユニット２４は、前面壁１８に配置され、コンプレッサ、コンデンサ、膨張弁、蒸発器及び蒸発器ファンならびに他の補助的な構成要素を含む。本明細書に記載されるカーゴコンテナ１０は単なる例示であり、本開示の用途、使用法及び／または技術的範囲に限定されることは意図されておらず、当分野で知られる種々の形態で具現化することができる。
【００２８】
図２を参照すると、本明細書の教示を実施するためのプロセッシングシステム２００の一実施形態が示されている。この実施形態では、システム２００は、１つまたは複数の中央処理装置（プロセッサ）２１ａ、２１ｂ、２１ｃなど（まとめて、または包括的にプロセッサ（複数可）２１と呼ばれる）を有する。１つまたは複数の実施形態において、各プロセッサ２１は、縮小命令セットコンピュータ（ＲＩＳＣ）マイクロプロセッサを含んでよい。プロセッサ２１は、システムバス３３を介してシステムメモリ３４（ＲＡＭ）及び種々の他の構成要素に結合される。読み出し専用メモリ（ＲＯＭ）６２が、システムバス３３に結合され、基本入出力システム（ＢＩＯＳ）を含んでもよく、これはシステム２００の特定の基本機能を制御する。
【００２９】
図２は、システムバス３３に結合された入出力（Ｉ／Ｏ）アダプタ２７及びネットワークアダプタ２６をさらに示す。Ｉ／Ｏアダプタ２７は、ハードディスク２３及び／またはテープストレージドライブ２５または任意の他の類似の構成要素と通信するスモールコンピュータシステムインターフェース（ＳＣＳＩ）アダプタであってよい。Ｉ／Ｏアダプタ２７、ハードディスク２３及びテープストレージデバイス２５は、本明細書ではまとめてマスストレージ６４と呼ばれる。プロセッシングシステム２００上で実行するためのオペレーティングシステム４０が、マスストレージ６４に格納されてよい。ネットワーク通信アダプタ２６は、バス３３を外部ネットワーク３６と相互接続し、データプロセッシングシステム２００が他のそういったシステムと通信することを可能にする。スクリーン（例えばディスプレイモニタ）３５がディスプレイアダプタ３２によってシステムバス３３に接続され、これは、グラフィックス集約型アプリケーション及びビデオコントローラの性能を高めるためにグラフィックスアダプタを含んでよい。一実施形態において、アダプタ２７、２６及び３２は、中間バスブリッジ（図示せず）を介してシステムバス３３に接続される１つまたは複数のＩ／Ｏバスに接続されてよい。ハードディスクコントローラ、ネットワークアダプタ及びグラフィックスアダプタなどの周辺デバイスを接続するのに好適なＩ／Ｏバスは典型的には、ペリフェラル コンポーネント インターコネクト（ＰＣＩ）などの共通プロトコルを含む。追加の入出力デバイスが、ユーザインターフェースアダプタ２８及びディスプレイアダプタ３２を介してシステムバス３３に接続されるように示されている。キーボード２９、マウス３０及びスピーカ３１は全て、ユーザインターフェースアダプタ２８を介してバス３３に相互接続され、これは例えば複数のデバイスアダプタを単一の集積回路に統合するスーパーＩ／Ｏチップを含んでよい。
【００３０】
例示の実施形態では、プロセッシングシステム２００は、グラフィックスプロセッシングユニット４１を含む。グラフィックスプロセッシングユニット４１は、ディスプレイに出力するつもりのフレームバッファ内の画像の形成を促進させるためにメモリを操作し変更するように設計された特化された電子回路である。一般に、グラフィックスプロセッシングユニット４１は、コンピュータグラフィックス及び画像処理を操作するのに極めて有効であり、大きなブロックのデータの処理が並行して行われるアルゴリズムに関して汎用ＣＰＵよりもそれを効果的にする高度な並行構造を有する。本明細書に記載されるプロセッシングシステム２００は単なる例示であり、本開示の用途、使用法及び／または技術的範囲に限定されることは意図されておらず、当分野で知られる種々の形態で具現化することができる。
【００３１】
よって図２で構成されるように、システム２００は、プロセッサ２１の形態での処理能力、システムメモリ３４もしくはマスストレージ６４を含む記憶能力、キーボード２９もしくはマウス３０などの入力手段、及びスピーカ３１もしくはディスプレイ３５を含む出力能力を含む。一実施形態において、システムメモリ３４及びマスストレージ６４の一部は、図２に示される種々の構成要素の機能を調整するためのオペレーティングシステムを一括して格納する。図２は単に、例示及び説明する目的のために提示される非制限的な実施例である。
【００３２】
１つまたは複数の実施形態では、プロセッシングシステム２００は、例えば図１での冷蔵ユニット２４におけるサーモスタット、コントローラまたは他の構成要素において利用することができる。
【００３３】
上記に記載されるように、ここで本開示の態様により具体的に関係のある技術の概要を参照すると、一貫輸送の出荷用コンテナは、単一のコンテナをその行程の間何度も積み降ろしする必要なしに、長距離にわたって製品を運送するのに極めて有益である。特定の一貫輸送コンテナは、例えば冷蔵一貫輸送コンテナなどコンピュータ化されている。一貫輸送運送用コンテナのコンピュータにアクセスして、コンテナを制御またはモニタすることが望ましい場合がある。しかしながら、これは実行するのが難しい場合がある。
【００３４】
コンテナ内にコンピュータシステムへの無線通信を確立することが可能であり得る。ひとたび確立されると、ユーザまたはフィールドエンジニアが、コンテナに対応付けられた情報にアクセスすることができる。このことは、積み重ねられた６から１２個のコンテナの高さであり得るコンテナにアクセスする手助けをすることができる。しかしながら難問も生じ、その理由は典型的にはコンテナは、造船所で積み重ねられる際、バッテリ電源で動作するためである。これらのコンテナ上のコントローラは、無線アクセスポイントとして動作することができる、または無線アクセスポイントに接続するように動作することができる、埋め込み式の無線カードを有する。しかしながらコンテナコントローラ上のこれらの埋め込み式無線カードは、アクセスポイントとして動作する際、または無線ネットワークに接続する際にかなりの量の電力を消費する。コントローラがバッテリ電源で動作する場合、このような無線カードをアクティブに維持すること、または「オン」の状態が比較的急速にバッテリを消耗し得る。
【００３５】
本開示の態様の概要を次に参照すると、１つまたは複数の実施形態は、コンテナについて無線システムを切り替えるためのシステム及び方法を提供することによって、上述の技術の上述の欠点に対処する。典型的なカーゴコンテナにおいて、テーブルまたはスマートフォンまたはｐｃ／ラップトップなどのユーザデバイスを利用して、ユーザは、コンテナに無線接続を介して接続することができる。しかしながら、これを達成するために、無線ネットワークを無線接続の持続期間に切り替える（オンにする）必要がある。この切り替えを達成するために、本明細書におけるシステム及び方法は、コンテナコントローラと関連付けられるハードウェア送信器（トランシーバ）を使用して、コンテナコントローラに接続してコンテナと関連付けられるデータにアクセスするために必要とされるときに無線ネットワークをオンに切り替えるために提供される。アクティブ化デバイスがトランシーバの範囲内に入るときに、このトランシーバをアクティブ化することができる。アクティブ化デバイスは、コンテナ上の無線デバイスによる無線ネットワークのアクティブ化のためにネットワーク情報またはクレデンシャルデータを要求するトランシーバにアクティブ化信号を送信することができる。トランシーバは、セキュアセット識別子（ＳＳＩＤ）などのクレデンシャルデータをアクティブ化デバイスに送信することができる。アクティブ化デバイスは、受信すると、ＳＳＩＤを検証し、第二アクティブ化信号をトランシーバに送信して無線デバイスを操作し、無線ネットワークをアクセスポイントとしてブロードキャストすることができる。アクティブ化デバイスは、アクティブ化されると、無線ネットワークに接続され、コンテナと関連付けられるデータにアクセスすることができる。
【００３６】
次に本開示の態様のより詳細な記載を参照すると、図３は、１つまたは複数の実施形態による、コントローラに埋め込まれた無線カード３０８を有するコンテナコントローラ３０４を各々が含む一群のコンテナ３００を描くブロック図を示す。コンテナコントローラは、コンテナ送信器３１０も含む。１つまたは複数の実施形態では、アクティブ化デバイス３０６は、ハードウェア送信器３１２を含む。ハードウェア送信器３１２は、低エネルギー近接感知を利用して、互換性のあるシステムによってピックアップされる信号を送信することができる。ハードウェア送信器３１２は、コンテナ送信器３１０の範囲内にあるときに、アクティブ化信号をこのコンテナ送信器３１０に送信することができる。１つまたは複数の実施形態において、ハードウェア送信器３１２は、アクティブ化信号をコンテナ送信器３１０に送信する。アクティブ化信号において、セキュアセット識別子（ＳＳＩＤ）をコンテナ送信器３１０から得る要求がある。コンテナ送信器３１０は、アクティブ化信号要求を検証した後に、ＳＳＩＤをハードウェア送信器３１２に返すことができる。ＳＳＩＤをハードウェア送信器３１２が受信すると、ハードウェア送信器３１２は、無線カード３０６をアクティブ化し、無線ネットワークをコンテナ３０２からブロードキャストする要求をコンテナコントローラ３０４に送信することができる。ＳＳＩＤを有する、アクティブ化デバイス３０６は、無線ネットワークに接続され、コンテナ３０２からブロードキャストされることができる。アクティブ化デバイス３０６は、接続されると、コンテナコントローラ３０４を介してコンテナ３０２と関連付けられるデータにアクセスすることができる。１つまたは複数の実施形態では、アクティブ化デバイス３０６は、例えばスマートフォン、タブレットまたはラップトップなどのユーザデバイスであり得る。１つまたは複数の実施形態において、コンテナ３０２と関連付けられるデータは、例えば、コンテンツデータ、輸送データ、コンテナについてのステータスデータ、及び同様のものなどの情報を含むことができる。
【００３７】
１つまたは複数の実施形態では、アクティブ化デバイス３０６によって送信されるアクティブ化信号は、アクティブ化信号を受信する前は低電力モードで動作することができるコンテナ送信器３１０によって受信することができる。アクティブ化信号はこうしてコンテナ送信器３１０を「起こし」、これが次いで、無線カード３０８をアクティブ化するようにコンテナコントローラ３０４に通知する。コンテナコントローラ３０４は、無線カード３０８を低電力モードから高電力モードに遷移させる。そうでなければ、他の実施形態では、コンテナ送信器３１０は、無線カード３０８をアクティブ化し、無線カードを直接オンにすることができる（例えば、低電力モードから高電力モードへの遷移）。例示された実施例は、アクティブ化デバイス３０６の範囲内にない、コンテナ３２０〜３２８を含む。これらのコンテナ３２０〜３２８は、コンテナ３０２を所有する同一の団体からのものではない可能性がある。
【００３８】
１つまたは複数の実施形態では、ハードウェア送信器３１２及びコンテナ送信器３１０は、コンテナ３０２についての無線ネットワークを設定するために利用される識別子をアクティブ化デバイス３０６に送信することができる、ＢＬＵＥＴＯＯＴＨ（登録商標）低エネルギービーコンであることができる。１つまたは複数の実施形態において、ハードウェア送信器３１２及びコンテナ送信器３１０は、無線周波数（ＲＦ）送信器であることができる。１つまたは複数の実施形態において、アクティブ化デバイス３０６は、出荷用コンテナのうちの１つに結合されるインターフェースであることができる。例えば、キーパッドまたはディスプレイは、出荷用コンテナの側面上にあることができ、アクティブ化信号を送信して無線ネットワークをオンにするために利用されることができる。
【００３９】
１つまたは複数の実施形態では、コンテナコントローラ３０４、送信器３１０、３１２、無線カード３０８、及びアクティブ化デバイス３０６は、図２に見出されるプロセッシングシステム２００上に実装されることができる。コンテナ３０２と関連付けられるデータの能動的アクセスがあるときに無線カード３０８の動作を利用する場合、コンテナ３０２は、改善されたエネルギー効率から利益を得る。１つまたは複数の実施形態において、ある特定の時間が経過した後に、またはハードウェア送信器３１２がコンテナ３０２の範囲内にもはやないときに、無線カード３０８をオフにする、または低電力モードに戻すことができる。
【００４０】
１つまたは複数の実施形態において、アクティブ化デバイス３０６（例えば、電話またはタブレット）は、アクティブ化信号（例えば、ビーコン、ＲＦ信号など）を発信して全ての隠されたＳＳＩＤをプローブするアプリケーションを含む。有効なクレデンシャルを含むアクティブ化信号に応答して、信号を受信した全てのコンテナは、それらの対応するＳＳＩＤ情報を返信することができる。全てのこれらのような収集されたＳＳＩＤをアクティブ化デバイス３０６のアプリケーション中のリストボックスに入れる。これは、特にＳＳＩＤがセキュリティ上の理由のために隠されているときに、自動的にコンテナＩＤリストをフェッチするのに役立つ追加された利点を有する。
【００４１】
また、１つまたは複数の実施形態は、高度に制限された電話／タブレットオペレーティングシステム上の制限を回避する。アクティブ化デバイス３０６上のアプリケーションは、周囲（コンテナＩＤ）の全てのＷｉＦｉ  ＳＳＩＤを走査した後、コンテナＩＤのリストをアプリケーション上に入れることができる。ユーザは、コンテナＩＤ（例えば、ＳＳＩＤ）のうちの１つをリストから選択した後に、選択されたネットワークに自動的に接続する／参加する／関連付けるようにアプリケーションに要求する。いくつかの製造元のオペレーティングシステムは、アプリケーションにＷｉＦｉ関連付け／関連付け解除を制御させない。ネットワークに／から手動で関連付け／関連付け解除を行わなければならない（Ｏ／Ｓ  ＷｉＦｉ設定を介して）のはユーザである。制限的オペレーティングシステムを回避するために、アクティブ化デバイス３０６のユーザは、１つより多いコンテナがクライアントの形式で既に接続されている、１つのアクセスポイントネットワークに手動で接続／関連付けを行う。ここで、手動で１つずつ複数のネットワークに手動で接続する代替に、ここでユーザは、１つのコンテナに接続し、全ての接続されたコンテナにアクセスすることができる。
【００４２】
図４は、１つまたは複数の実施形態による無線切り替え方法の流れ図を示す。方法４００は、ブロック４０２に示されるように、トランシーバによって、第一アクティブ化信号をアクティブ化デバイスから受信することを備える。ブロック４０４において、方法４００は、第一アクティブ化信号を受信することに応答して、トランシーバによって、ネットワーククレデンシャルデータをアクティブ化デバイスに送信することを備える。また、ブロック４０６において、方法４００は、第一デバイスの第一コントローラによって、第二アクティブ化信号をアクティブ化デバイスから受信することを備え、この第二アクティブ化信号がアクティブ化要求及びネットワーククレデンシャルデータを含む。ブロック４０８に示されるように、方法４００は、第二アクティブ化信号を受信することに応答して、第一デバイスを低電力状態から高電力状態に遷移させることを備える。そしてブロック４１０において、方法４００は、第一デバイスによって、無線ネットワークをブロードキャストすることを備え、この第一デバイスが無線ネットワークについてのアクセスポイントを含む。
【００４３】
１つまたは複数の実施形態において、既知の／有効な（すなわち、アクティブ／期限切れではない）クレデンシャルデータ、及び既知のＳＳＩＤを含むアクティブ化デバイス３０６は、第二アクティブ化信号を送信する／待機する代替に無線ネットワークを直接オンにすることができる。
【００４４】
追加のプロセスが含まれる場合もある。図４に描かれるプロセスは実例を表すこと、また本開示の精神及び範囲から逸脱することなく他のプロセスが加えられる場合がある、または既存のプロセスが削除される、修正される、または再編される場合があることを理解されたい。
【００４５】
開示される装置及び方法の１つまたは複数の実施形態の詳細な説明が、図面を参照して、限定ではなく、例証によって本明細書に提示される。
【００４６】
「約」という用語は、出願時に利用可能な機器に基づいて特定の量の測定に関連付けられた誤差の程度を含むことが意図されている。
【００４７】
本明細書で使用される専門用語は、特定の実施形態を説明する目的のみのためであり、本開示を限定するようには意図されていない。本明細書で使用されるように、単数形の「ａ」、「ａｎ」及び「ｔｈｅ」は、文脈が別段に明確に示さない限り、複数形も含むことが意図されている。用語「備える（ｃｏｍｐｒｉｓｅｓ）」及び／または「備えている（ｃｏｍｐｒｉｓｉｎｇ）」は、本明細書で使用されるとき、述べられる特徴、整数、ステップ、動作、要素及び／または構成要素の存在を指定するが、１つまたは複数の他の特徴、整数、ステップ、動作、要素、構成要素及び／またはそれらのグループの存在または追加を排除しないことがさらに理解されよう。
【００４８】
本開示は例示の１つまたは複数の実施形態を参照して説明されているが、本開示の範囲から逸脱することなく、種々の変更が行われてもよく、均等物がその要素の代わりをする場合があることは当業者によって理解されるであろう。加えて、本開示の必須の範囲から逸脱することなく、特定の状況または材料を本開示の教示に適合させるために多くの修正が行われる場合がある。したがって、本開示は、本開示を実施するために企図された最適な態様として開示される特定の実施形態に限定される訳ではなく、本開示は、添付の特許請求の範囲内に収まる全ての実施形態を含むことが意図されている。
【図１】
2020113984.tif 000003
【図２】
2020113984.tif 000004
【図３】
2020113984.tif 000005
【図４】
2020113984.tif 000006